(57)【要約】【課題】振動防止効果をアップしたエコロジー包装材の提供。【解決手段】内防振材と外防振材で構成され、該内防振材と外防振材内部にそれぞれ収容空間があり、上端周囲にそれぞれリムを具備する。使用時には、まず該内防振材を該外防振材の収容空間に挿入し、並びに該内防振材のリムを該外防振材のリムと緊密に貼り合わせ、共同で包装材を構成し、さらに被包装物品を該内防振材の収容空間内に入れればよく、こうして振動防止効果アップの機能を達成する。【選択図】図３
0003136227.tif 000002
【実用新案登録請求の範囲】
【請求項１】
エコロジーパルプモールド包装材において、内防振材と外防振材で構成され、これら内防振材、外防振材の内部にそれぞれ収容空間が設けられ、上端周囲にリムが設けられ、使用時に、該内防振材を該外防振材の収容空間内に挿入し、並びに該内防振材のリムを該外防振材のリムと緊密に接合し、共同で包装材を構成し、更に被包装物品を該内防振材の収容空間内に挿入することを特徴とする、エコロジーパルプモールド包装材。
【請求項２】
請求項１記載のエコロジーパルプモールド包装材において、該内防振材の壁面にリブが設けられたことを特徴とする、エコロジーパルプモールド包装材。
【請求項３】
請求項１記載のエコロジーパルプモールド包装材において、該外防振材の壁面にリブが設けられたことを特徴とする、エコロジーパルプモールド包装材。
【請求項４】
請求項１記載のエコロジーパルプモールド包装材において、これら内防振材、外防振材相互間のリムは緊密に結合されるが、壁面間は非緊密な接合の収容状態を形成することを特徴とする、エコロジーパルプモールド包装材。
【考案の詳細な説明】
【技術分野】
【０００１】
本考案は一種のエコロジーパルプモールド包装材に係り、特に環境保護と振動防止機能を具えた包装材に関する。
【背景技術】
【０００２】
一般に比較的貴重な物品、例えば、ノートブック型コンピュータ、液晶ディスプレイ等は、搬送時に、その他の物品との衝突による損傷を防止するため、二側の辺縁に防振性の包装材１０が取付けられ、図１に示されるように、周知の包装材１０内には収容空間１１があり（図２参照）、使用時には、被包装物品２０の側辺が該包装材１０の収容空間１１内に挿入された後、さらに外包装箱３０内に挿入されて包装される。周知の防振性の包装材１０のほとんどは発泡材質（例えばポリスチレン）で製造され、廃棄時には処理が難しく、ゆえに環境保護に符合しない。近年、パルプモールド材料の包装材の使用が徐々に推奨されるようになったが、現在、周知のそのような包装材はいずれも単層とされ、その厚さは遥かに発泡材料の包装材より薄く、ゆえにその耐衝撃性、防振性は理想的でなく、改良が待たれている。
【考案の開示】
【考案が解決しようとする課題】
【０００３】
本考案の主要な目的は、環境保護と防振機能をアップしたエコロジーパルプモールド包装材を提供することにある。
【課題を解決するための手段】
【０００４】
請求項１の考案は、エコロジーパルプモールド包装材において、内防振材と外防振材で構成され、これら内防振材、外防振材の内部にそれぞれ収容空間が設けられ、上端周囲にリムが設けられ、使用時に、該内防振材を該外防振材の収容空間内に挿入し、並びに該内防振材のリムを該外防振材のリムと緊密に接合し、共同で包装材を構成し、更に被包装物品を該内防振材の収容空間内に挿入することを特徴とする、エコロジーパルプモールド包装材としている。
請求項２の考案は、請求項１記載のエコロジーパルプモールド包装材において、該内防振材の壁面にリブが設けられたことを特徴とする、エコロジーパルプモールド包装材としている。
請求項３の考案は、請求項１記載のエコロジーパルプモールド包装材において、該外防振材の壁面にリブが設けられたことを特徴とする、エコロジーパルプモールド包装材としている。
請求項４の考案は、請求項１記載のエコロジーパルプモールド包装材において、これら内防振材、外防振材相互間のリムは緊密に結合されるが、壁面間は非緊密な接合の収容状態を形成することを特徴とする、エコロジーパルプモールド包装材としている。
【考案の効果】
【０００５】
本考案は、環境保護と防振機能をアップしたエコロジーパルプモールド包装材を提供している。
【考案を実施するための最良の形態】
【０００６】
本考案は内防振材と外防振材で構成され、該内防振材と外防振材内部にそれぞれ収容空間があり、上端周囲にそれぞれリムを具備する。使用時には、まず該内防振材を該外防振材の収容空間に挿入し、並びに該内防振材のリムを該外防振材のリムと緊密に貼り合わせ、共同で包装材を構成し、さらに被包装物品を該内防振材の収容空間内に入れる。
【０００７】
上述の構造中、該内防振材の壁面にリブを設けることができる。
【０００８】
上述の構造中、該外防振材の壁面にリブを設けることができる。
【０００９】
上述の構造中、これら内防振材、外防振材の壁面間が非緊密に張り合う収容状態とするのがよい。
【実施例１】
【００１０】
図３を参照されたい。本考案の実施例全体はパルプモールドの包装材４とされ、構造上は、内防振材４０と外防振材５０に分けられる。該内防振材４０、外防振材５０はいずれも紙材料をモールディングして形成され、内部にそれぞれ収容空間４０１、５０１を具え、上端周囲に外に折られたリム４１、５１を具えている。これら内防振材４０、外防振材５０にはそれぞれ若干のリブ４２、５２が設けられ、これら内防振材４０、外防振材５０それぞれの強度が増されている。これらリブ４２、５２は非対称に設置され、且つこれら内防振材４０、外防振材５０の壁面が具備する凹凸形状の構造は、被包装物品２０の形状により形成され、完全に同じではなく、原則的に、該内防振材４０は被包装物品２０の辺縁を置き入れた時に緊密に当接するものとされ、該外防振材５０は該内防振材４０を収容し、不完全に緊密な収容状態を形成すればよい。
【００１１】
使用時には、該内防振材４０を該外防振材５０の収容空間５０１内に挿入し、並びに該内防振材４０のリム４１を外防振材５０のリム５１と緊密に接合させ、該内防振材４０、外防振材５０を一体として包装材４となす（図４の如し）。その後、被包装物品２０の辺縁を該内防振材４０の収容空間４０１内に挿入できる（二側の辺縁をそれぞれ包装材４に挿入するのがよい）。最後に外包装箱３０内に入れる（図５）。或いは二側の包装材４外を直接包装してもよい。
【００１２】
本考案のパルプモールド包装材４は紙材料をモールドして形成され、ゆえにエコロジー（環境保護）特性を具備し、廃棄時に処理が容易であり、且つ物品を包装する時、本考案は少なくとも内防振材４０と外防振材５０で構成され、且つ２層の防振材（内防振材４０、外防振材５０）間に不完全に緊密な空隙があり、ゆえに全体の防振機能がアップされ、周知の包装材よりも優良である。
【００１３】
総合すると、本考案に記載の具体的構造は従来にはなく、並びに予期された目的と作用効果を達成し、新規性と実用性及び進歩性を具備し、ゆえに実用新案登録の要件を具備している。
【図面の簡単な説明】
【００１４】
【図１】周知の包装材と被包装物品の組合せ後の断面図である。
【図２】周知の発泡材質の包装材の立体図である。
【図３】本考案の実施例の立体分解図である。
【図４】本考案の実施例の立体組合せ図である。
【図５】本考案の実施例と被包装物品の組合せ後の断面図である。
【符号の説明】
【００１５】
１０  包装材          １１  収容空間        ２０  被包装物品
３０  外包装箱        ４  包装材            ４０  内防振材
４０１  収容空間      ４１  リム            ４２  リブ
５０  外防振材        ５１  リム            ５２  リブ
５０１  収容空間
【図１】
0003136227.tif 000003
【図２】
0003136227.tif 000004
【図３】
0003136227.tif 000005
【図４】
0003136227.tif 000006
【図５】
0003136227.tif 000007